(57)【特許請求の範囲】
【請求項１】
プラス側の電力線に挿入される半導体スイッチと、
入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段と
を備え、
前記変換手段の出力側のマイナス端子が前記プラス側の電力線に接続され、前記変換手段の出力側のプラス端子が前記半導体スイッチの開閉を制御する端子に接続される
電気回路。
【請求項２】
前記半導体スイッチは、前記プラス側の電力線の第１の方向への電力の供給を制御する第１の半導体スイッチと、前記第１の方向とは逆方向の第２の方向への電力の供給を制御する第２の半導体スイッチとを有し、
前記変換手段は、前記第１の半導体スイッチの開閉を制御する第１の変換手段と、前記第２の半導体スイッチの開閉を制御する第２の変換手段とを有する
請求項１に記載の電気回路。
【請求項３】
前記変換手段は、前記プラス側の電力線で供給されている電圧に所定の電圧を加算して、前記半導体スイッチの開閉を制御する端子に供給する
請求項１または２に記載の電気回路。
【請求項４】
プラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、
前記電気回路が有する前記変換手段の出力電圧のオン／オフを制御することで、前記半導体スイッチの切り替えを制御する制御手段と
を備える充電制御装置。
【請求項５】
電力を充電および放電する二次電池と、
前記二次電池の状態を検知する検知手段と、
前記二次電池に接続されるプラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、
前記電気回路が有する前記変換手段の出力電圧のオン／オフを制御することで、前記半導体スイッチの切り替えを制御する制御手段と
を備え、
前記制御手段は、
前記検出手段により検出された前記二次電池の状態を取得し、
前記二次電池の状態に従って、前記半導体スイッチの切り替えを制御する
充電システム。
【請求項６】
充電システムの制御方法において、
前記充電システムは、
電力を充電および放電する二次電池と、
前記二次電池の状態を検知する検知手段と、
前記二次電池に接続されるプラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、
前記電気回路が有する前記変換手段の出力電圧のオン／オフを制御することで、前記半導体スイッチの切り替えを制御する制御手段と
を備え、
前記検出手段により検出された前記二次電池の状態を取得し、
前記二次電池の状態に従って、前記半導体スイッチの切り替えを制御する
ステップを含む制御方法。
【請求項７】
電力を充電および放電する二次電池と、
前記二次電池の状態を検知する検知手段と、
前記二次電池に接続されるプラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、
前記電気回路が有する前記変換手段の出力電圧のオン／オフを制御することで、前記半導体スイッチの切り替えを制御する制御手段と
を備え、
前記制御手段は、
前記検出手段により検出された前記二次電池の状態を取得し、
前記二次電池の状態に従って、前記半導体スイッチの切り替えを制御する
蓄電装置。
【請求項８】
電力を充電および放電する二次電池と、
前記二次電池の状態を検知する検知手段と、
前記二次電池に接続されるプラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、
前記電気回路が有する前記変換手段の出力電圧のオン／オフを制御することで、前記半導体スイッチの切り替えを制御する制御手段と
を備え、
前記制御手段は、
前記検出手段により検出された前記二次電池の状態を取得し、
前記二次電池の状態に従って、前記半導体スイッチの切り替えを制御する
蓄電システム。
【請求項９】
切替対象線の導通と切断との切替を行う半導体スイッチと、
前記半導体スイッチの基準電位に対する電位差信号として、前記切替のための制御電位を示す切替制御信号を前記半導体スイッチに供給して、前記切替を制御する制御回路と、
を備え、
前記半導体スイッチの基準電位は、前記切替対象線の電位と一致しており、
前記制御回路は、前記切替対象線とは異なる電位に対する電位差信号として入力される入力制御信号に応じて、前記切替制御信号を前記入力制御信号と電気的に絶縁された状態で生成する
電気回路。
【請求項１０】
基準電位を示す基準電位線と印加する電位を示す印加電位線との間の電位差により電力を供給する電力線について、前記基準電位線および前記印加電位線の少なくとも一方を切替対象線として、その導通と切断との切替を行う半導体スイッチと、
前記半導体スイッチの基準電位に対する電位差信号として、前記切替のための制御電位を示す切替制御信号を前記半導体スイッチに供給して、前記切替を制御する制御回路と、
を備え、
前記半導体スイッチの基準電位は、前記切替対象線の電位と一致しており、
前記制御回路は、前記基準電位線と同電位に対する電位差信号として入力される入力制御信号に応じて、前記切替制御信号を前記入力制御信号と電気的に絶縁された状態で生成する
電気回路。
【請求項１１】
前記制御回路は、前記切替対象線で供給されている電圧に所定の電圧を加算して、前記半導体スイッチの開閉を制御する端子に供給する
請求項９または１０に記載の電気回路。
【請求項１２】
前記半導体スイッチは、前記切替対象線の第１の方向への電力の供給を制御する第１の半導体スイッチと、前記第１の方向とは逆方向の第２の方向への電力の供給を制御する第２の半導体スイッチとを有し、
前記制御回路は、前記第１の半導体スイッチの切替を制御する第１の制御回路と、前記第２の半導体スイッチの切替を制御する第２の制御回路とを有する
請求項９から１１のいずれかに記載の電気回路。
【請求項１３】
請求項９から１２のいずれかに記載の電気回路と、
前記入力制御信号を前記電気回路に供給することで、前記半導体スイッチの切替を制御する制御手段と、
を備える充電制御装置。
【請求項１４】
請求項９から１２のいずれかに記載の電気回路と、
前記入力制御信号を前記電気回路に供給することで、前記半導体スイッチの切替を制御する制御手段と、
電力を充電および放電する二次電池と、
前記二次電池の状態を検知する検知手段と、
を備え、
前記電気回路の前記切替対象線は前記二次電池と接続され、
前記制御手段は、
前記検出手段により検出された前記二次電池の状態を取得し、
前記二次電池の状態に従って、前記半導体スイッチの切替を制御する
充電システム。
【請求項１５】
請求項９から１２のいずれかに記載の電気回路と、
前記入力制御信号を前記電気回路に供給することで、前記半導体スイッチの切替を制御する制御手段と、
電力を充電および放電する二次電池と、
前記二次電池の状態を検知する検知手段と、
を備え、
前記電気回路の前記切替対象線は前記二次電池と接続された充電システムの制御方法であって、
前記検出手段により検出された前記二次電池の状態を取得し、
前記二次電池の状態に従って、前記半導体スイッチの切り替えを制御する
ステップを含む充電システムの制御方法。
【請求項１６】
請求項９から１２のいずれかに記載の電気回路と、
前記入力制御信号を前記電気回路に供給することで、前記半導体スイッチの切替を制御する制御手段と、
電力を充電および放電する二次電池と、
前記二次電池の状態を検知する検知手段と、
を備え、
前記電気回路の前記切替対象線は前記二次電池と接続され、
前記制御手段は、
前記検出手段により検出された前記二次電池の状態を取得し、
前記二次電池の状態に従って、前記半導体スイッチの切替を制御する
蓄電装置。
【請求項１７】
請求項９から１２のいずれかに記載の電気回路と、
前記入力制御信号を前記電気回路に供給することで、前記半導体スイッチの切替を制御する制御手段と、
電力を充電および放電する二次電池と、
前記二次電池の状態を検知する検知手段と、
を備え、
前記電気回路の前記切替対象線は前記二次電池と接続され、
前記制御手段は、
前記検出手段により検出された前記二次電池の状態を取得し、
前記二次電池の状態に従って、前記半導体スイッチの切替を制御する
蓄電システム。
【発明の詳細な説明】
【技術分野】
【０００１】
本発明は、電気回路、充電制御装置、充電システム、制御方法、蓄電装置、および蓄電システムに関し、特に、より簡易的な構成で半導体スイッチを駆動する回路を実現することができるようにした電気回路、充電制御装置、充電システム、制御方法、蓄電装置、および蓄電システムに関する。
【背景技術】
【０００２】
近年、電気自動車やスマートグリッドの普及に向けた要点として、より安全で利便性の高い二次電池の開発が期待されている。
【０００３】
一般的に、二次電池を充電および放電するための電力線には、電磁石を利用して接点を物理的に動かすことで開閉するリレーが挿入され、電力のオン／オフ制御が行われている（例えば、特許文献１乃至４）。また、電力のオン／オフ制御には、リレーの他、半導体スイッチなども用いられる。
【０００４】
リレーは、高耐圧のものは大型で高価である。これに対し、基準電位側（接地側：以下の説明では、例えばマイナス側）の電力線にFET（Field Effect Transistor：電界効果トランジスタ）などの半導体スイッチを挿入して、半導体スイッチにより電力のオン／オフ制御を行うことで、小型で安価に実現できる。
【先行技術文献】
【特許文献】
【０００５】
【特許文献１】特開２０１０−１４１９５７号公報
【特許文献２】特開２００９−１００６４４号公報
【特許文献３】特開２００９−２４００８１号公報
【特許文献４】特開２００９−１８３０２５号公報
【発明の概要】
【発明が解決しようとする課題】
【０００６】
ところで、二次電池の充電および放電に半導体スイッチを利用する場合、印加電位側（接地側とは逆側：以下の説明では、例えばプラス側）の電力線に半導体スイッチを挿入する場合と、マイナス側の電力線に半導体スイッチを挿入する場合とがある。しかしながら、マイナス側の電力線に半導体スイッチを挿入した場合、例えば、半導体スイッチをオフにすると電池側とシステム側との基準電位が変動するなどの不具合が発生しすることがあった。また、半導体スイッチにIGBT（Insulated Gate Bipolar Transistor：絶縁ゲートバイポーラトランジスタ）などの半導体スイッチを使用する場合は、より簡易的な回路構成で、二次電池のプラス側の電力線に挿入された半導体スイッチを駆動させることができる駆動回路が求められていた。
【０００７】
本発明は、このような状況に鑑みてなされたものであり、半導体スイッチを駆動する回路を、より簡易的な構成で実現することができるようにするものである。
【課題を解決するための手段】
【０００８】
本発明の第１の側面の電気回路は、プラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを備え、前記変換手段の出力側のマイナス端子が前記プラス側の電力線に接続され、前記変換手段の出力側のプラス端子が前記半導体スイッチの開閉を制御する端子に接続される。
【０００９】
本発明の第１の側面においては、プラス側の電力線に挿入される半導体スイッチと、入力側の端子に入力される入力電圧を、所定の出力電圧に変換して出力側の端子から出力し、入力側の端子と出力側の端子との間で、プラス側の電力線を介して供給される電力の電圧に対応した絶縁耐性を有する変換手段とを備える。そして、変換手段の出力側のマイナス端子がプラス側の電力線に接続され、変換手段の出力側のプラス端子が半導体スイッチの開閉を制御する端子に接続される。
【００１０】
本発明の第２の側面の充電制御装置は、プラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、前記電気回路が有する前記変換手段の出力電圧のオン／オフを制御することで、前記半導体スイッチの切り替えを制御する制御手段とを備える。
【００１１】
本発明の第２の側面においては、電気回路は、プラス側の電力線に挿入される半導体スイッチと、入力側の端子に入力される入力電圧を、所定の出力電圧に変換して出力側の端子から出力し、入力側の端子と出力側の端子との間で、プラス側の電力線を介して供給される電力の電圧に対応した絶縁耐性を有する変換手段とを有し、変換手段の出力側のマイナス端子がプラス側の電力線に接続され、変換手段の出力側のプラス端子が半導体スイッチの開閉を制御する端子に接続される。そして、変換手段の出力電圧のオン／オフが制御されることで、半導体スイッチの切り替えが制御される。
【００１２】
本発明の第３の側面の充電システム、蓄電装置、および蓄電システムは、電力を充電および放電する二次電池と、前記二次電池の状態を検知する検知手段と、前記二次電池に接続されるプラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、前記電気回路が有する前記変換手段の出力電圧のオン／オフを制御することで、前記半導体スイッチの切り替えを制御する制御手段とを備え、前記制御手段は、前記検出手段により検出された前記二次電池の状態を取得し、前記二次電池の状態に従って、前記半導体スイッチの切り替えを制御する。
【００１３】
本発明の第４の側面の制御方法は、充電システムの制御方法であって、前記充電システムは、電力を充電および放電する二次電池と、前記二次電池の状態を検知する検知手段と、前記二次電池に接続されるプラス側の電力線に挿入される半導体スイッチと、入力側の端子に入力される入力電圧を、所定の出力電圧に変換して出力側の端子から出力し、前記入力側の端子と前記出力側の端子との間で、前記プラス側の電力線を介して供給される電力の電圧に対応した絶縁耐性を有する変換手段とを有し、前記変換手段の出力側のマイナス端子が前記プラス側の電力線に接続され、前記変換手段の出力側のプラス端子が前記半導体スイッチの開閉を制御する端子に接続される電気回路と、前記電気回路が有す前記変換手段の出力電圧のオン／オフを制御することで、前記半導体スイッチの切り替えを制御する制御手段とを備え、前記検出手段により検出された前記二次電池の状態を取得し、前記二次電池の状態に従って、前記半導体スイッチの切り替えを制御するステップを含む。
【００１４】
本発明の第３および第４の側面においては、電気回路は、プラス側の電力線に挿入される半導体スイッチと、入力側の端子に入力される入力電圧を、所定の出力電圧に変換して出力側の端子から出力し、入力側の端子と出力側の端子との間で、プラス側の電力線を介して供給される電力の電圧に対応した絶縁耐性を有する変換手段とを有し、変換手段の出力側のマイナス端子がプラス側の電力線に接続され、変換手段の出力側のプラス端子が半導体スイッチの開閉を制御する端子に接続される。そして、変換手段の出力電圧のオン／オフが制御されることで、半導体スイッチの切り替えが制御される。このとき、電力を充電および放電する二次電池の状態が取得され、その状態に従って半導体スイッチの切り替えが制御される。
【００１５】
本発明の第５の側面の電気回路は、切替対象線の導通と切断との切替を行う半導体スイッチと、前記半導体スイッチの基準電位に対する電位差信号として、前記切替のための制御電位を示す切替制御信号を前記半導体スイッチに供給して、前記切替を制御する制御回路と、を備え、前記半導体スイッチの基準電位は、前記切替対象線の電位と一致しており、前記制御回路は、前記切替対象線とは異なる電位に対する電位差信号として入力される入力制御信号に応じて、前記切替制御信号を前記入力制御信号と電気的に絶縁された状態で生成する。
【００１６】
本発明の第５の側面においては、切替対象線の導通と切断との切替を行う半導体スイッチと、半導体スイッチの基準電位に対する電位差信号として、切替のための制御電位を示す切替制御信号を半導体スイッチに供給して、切替を制御する制御回路とを備える。そして、半導体スイッチの基準電位は、切替対象線の電位と一致しており、切替対象線とは異なる電位に対する電位差信号として入力される入力制御信号に応じて、切替制御信号が入力制御信号と電気的に絶縁された状態で生成される。
【００１７】
本発明の第６の側面の電気回路は、基準電位を示す基準電位線と印加する電位を示す印加電位線との間の電位差により電力を供給する電力線について、前記基準電位線および前記印加電位線の少なくとも一方を切替対象線として、その導通と切断との切替を行う半導体スイッチと、前記半導体スイッチの基準電位に対する電位差信号として、前記切替のための制御電位を示す切替制御信号を前記半導体スイッチに供給して、前記切替を制御する制御回路と、を備え、前記半導体スイッチの基準電位は、前記切替対象線の電位と一致しており、前記制御回路は、前記基準電位線と同電位に対する電位差信号として入力される入力制御信号に応じて、前記切替制御信号を前記入力制御信号と電気的に絶縁された状態で生成する。
【００１８】
本発明の第６の側面においては、基準電位を示す基準電位線と印加する電位を示す印加電位線との間の電位差により電力を供給する電力線について、基準電位線および印加電位線の少なくとも一方を切替対象線として、その導通と切断との切替を行う半導体スイッチと、半導体スイッチの基準電位に対する電位差信号として、切替のための制御電位を示す切替制御信号を半導体スイッチに供給して、切替を制御する制御回路とを備える。そして、半導体スイッチの基準電位は、切替対象線の電位と一致しており、基準電位線と同電位に対する電位差信号として入力される入力制御信号に応じて、切替制御信号が入力制御信号と電気的に絶縁された状態で生成される。
【００１９】
本発明の第７の側面の充電制御装置は、上述の電気回路と、前記入力制御信号を前記電気回路に供給することで、前記半導体スイッチの切替を制御する制御手段と、を備える。
【００２０】
本発明の第７の側面においては、入力制御信号を電気回路に供給することで、半導体スイッチの切替が制御される。
【００２１】
本発明の第８の側面の充電システム、蓄電装置、および蓄電システムは、上述の電気回路と、前記入力制御信号を前記電気回路に供給することで、前記半導体スイッチの切替を制御する制御手段と、電力を充電および放電する二次電池と、前記二次電池の状態を検知する検知手段と、を備え、前記電気回路の前記切替対象線は前記二次電池と接続され、前記制御手段は、前記検出手段により検出された前記二次電池の状態を取得し、前記二次電池の状態に従って、前記半導体スイッチの切替を制御する。
【００２２】
本発明の第９の側面の充電システムの制御方法は、上述の電気回路と、前記入力制御信号を前記電気回路に供給することで、前記半導体スイッチの切替を制御する制御手段と、電力を充電および放電する二次電池と、前記二次電池の状態を検知する検知手段と、を備え、前記電気回路の前記切替対象線は前記二次電池と接続された充電システムの制御方法であって、前記検出手段により検出された前記二次電池の状態を取得し、前記二次電池の状態に従って、前記半導体スイッチの切り替えを制御するステップを含む。
【００２３】
本発明の第８および９の側面においては、充電システム、蓄電装置、および蓄電システムは、上述の電気回路と、入力制御信号を電気回路に供給することで、半導体スイッチの切替を制御する制御手段と、電力を充電および放電する二次電池と、二次電池の状態を検知する検知手段とを備え、電気回路の切替対象線は二次電池と接続されており、二次電池の状態が取得され、二次電池の状態に従って、半導体スイッチの切替が制御される。
【発明の効果】
【００２４】
本発明の第１乃至第９の側面によれば、半導体スイッチを駆動する回路をより簡易的な構成で実現することができる。
【図面の簡単な説明】
【００２５】
【図１】本発明を適用した充放電切替回路の一実施の形態の構成例を示すブロック図である。
【図２】充放電切替回路を備えた充電システムの構成例を示すブロック図である。
【図３】充放電切替回路を制御する処理を説明するフローチャートである。
【発明を実施するための形態】
【００２６】
以下、本発明を適用した具体的な実施の形態について、図面を参照しながら詳細に説明する。
【００２７】
図１は、本発明を適用した充放電切替回路（電気回路）の一実施の形態の構成例を示すブロック図である。
【００２８】
図１において、充放電切替回路１１は、２つの半導体スイッチ１２−１および１２−２、並びに駆動回路１３を備えて構成される。
【００２９】
充放電切替回路１１は、例えば、リチウムイオンバッテリーなどの二次電池（例えば、図２のバッテリモジュール３２−１乃至３２−Ｎ）と、二次電池の充電および放電を行うシステム（図示せず）との間に配置され、充電および放電の切り替えを行う。また、二次電池とシステムとは、プラス側の電力線（印加電位線）、およびマイナス側の電力線（グランド線、基準電位線）により接続される。図１では、プラス側の電力線の端子１４がシステムに接続されており、プラス側の電力線の端子１５が二次電池に接続されている。また、マイナス側の電力線の端子１６がシステムに接続されており、マイナス側の電力線の端子１７が二次電池に接続されている。
【００３０】
また、充放電切替回路１１では、半導体スイッチ１２−１および１２−２が、プラス側の電力線に直列的に挿入される。半導体スイッチ１２−１は、プラス側の電力線の二次電池側に配置され、半導体スイッチ１２−２は、プラス側の電力線のシステム側に配置される。
【００３１】
半導体スイッチ１２−１は、IGBT（Insulated Gate Bipolar Transistor：絶縁ゲートバイポーラトランジスタ）２１−１と、ダイオード２２−１とが組み合わされて構成されている。半導体スイッチ１２−１では、IGBT２１−１のコレクタとダイオード２２−１のカソードとが接続されるとともに、IGBT２１−１のエミッタとダイオード２２−１のアノードとが接続され、IGBT２１−１のゲートが駆動回路１３に接続されている。
【００３２】
また、半導体スイッチ１２−１では、IGBT２１−１のエミッタとダイオード２２−１のアノードとの接続点が二次電池側の端子１５に接続され、IGBT２１−１のコレクタとダイオード２２−１のカソードとの接続点が、半導体スイッチ１２−２を介してシステム側の端子１４に接続されている。従って、半導体スイッチ１２−１では、二次電池側の端子１５からシステム側の端子１４に向かってダイオード２２−１を介して電流を常に流すことができる一方、システム側の端子１４から二次電池側の端子１５へは、IGBT２１−１がオンにされたときに電流を流すことができる。
【００３３】
また、半導体スイッチ１２−２は、半導体スイッチ１２−１と同様に、IGBT２１−２とダイオード２２−２とが組み合わされて構成されている。一方、半導体スイッチ１２−２では、IGBT２１−２のエミッタとダイオード２２−２のアノードとの接続点がシステム側の端子１４に接続され、IGBT２１−２のコレクタとダイオード２２−２のカソードとの接続点が、半導体スイッチ１２−１を介して二次電池側の端子１５に接続されている。従って、半導体スイッチ１２−２では、システム側の端子１４から二次電池側の端子１５に向かってダイオード２２−２を介して電流を常に流すことができる一方、二次電池側の端子１５からシステム側の端子１４へは、IGBT２１−２がオンにされたときに電流を流すことができる。
【００３４】
駆動回路１３は、２つの絶縁型DCDC（Direct Current/Direct Current）コンバータ２３−１および２３−２を有して構成されている。
【００３５】
絶縁型DCDCコンバータ２３−１および２３−２は、入力側（１次コイル側）の端子に入力される電源電圧Vccを、例えば、＋１５Ｖなどの所定の電圧に変換して出力側（２次コイル側）の端子から出力する。また、絶縁型DCDCコンバータ２３−１および２３−２は、充放電切替回路１１を介して二次電池およびシステムの間で供給される電力の電源電圧以上の絶縁耐性、例えば、1000Ｖ以上の絶縁耐性を備えている。
【００３６】
絶縁型DCDCコンバータ２３−１では、入力側の＋端子が、電源電圧Vccに接続されるとともに、入力側の−端子が、マイナス側の電力線に接続されている。また、絶縁型DCDCコンバータ２３−１では、出力側の＋端子が、半導体スイッチ１２−１のIGBT２１−１のゲートに接続されるとともに、出力側の−端子が、半導体スイッチ１２−１と二次電池側の端子１５との間のプラス側の電力線に接続されている。
【００３７】
また、絶縁型DCDCコンバータ２３−２では、入力側の＋端子が、電源電圧Vccに接続されるとともに、入力側の−端子が、マイナス側の電力線に接続されている。また、絶縁型DCDCコンバータ２３−２では、出力側の＋端子が、半導体スイッチ１２−２のIGBT２１−２のゲートに接続されるとともに、出力側の−端子が、半導体スイッチ１２−２とシステム側の端子１４との間のプラス側の電力線に接続されている。
【００３８】
そして、絶縁型DCDCコンバータ２３−１および２３−２は、電源電圧VccをDCDC変換することで、IGBT２１−１および２１−２のゲートに対して、プラス側の電力線の電圧に所定の電圧を加算した電圧をそれぞれ印加（即ち、IGBT２１−１および２１−２の基準電位（プラス側の電力線の電位）に対する電位差信号としての制御電位を示す切替制御信号を供給）することができる。ここで、プラス側の電力線の電圧は、二次電池に蓄積されている電力量に応じて変動し、例えば、充放電切替回路１１が実装される充電システムでは、４００〜６００Ｖ程度の高電圧が想定される。従って、絶縁型DCDCコンバータ２３−１および２３−２は、４００〜６００Ｖに所定の電圧（例えば、＋１５Ｖ）を加算した電圧を、IGBT２１−１および２１−２のゲートにそれぞれ印加する。
【００３９】
また、絶縁型DCDCコンバータ２３−１および２３−２は、後述する図２のMCU５１による制御信号（充電イネーブルおよび放電イネーブル：入力制御信号）に従って、出力電圧のオン／オフ（例えば、＋１５Ｖ／０Ｖ）を切り替える。
【００４０】
即ち、絶縁型DCDCコンバータ２３−１は、充電イネーブルがオンであれば、入力側の端子に入力される電源電圧Vccを所要の電圧に変換する回路をオンにして出力電圧を発生（切替制御信号を供給）し、IGBT２１−１のゲートに所定の電圧を印加して二次電池への充電が行われる状態にする。一方、絶縁型DCDCコンバータ２３−１は、充電イネーブルがオフであれば、入力側の端子に入力される電源電圧Vccを所要の電圧に変換する回路をオフにして出力電圧の発生を停止し、IGBT２１−１のゲートへの電圧の印加を停止して二次電池への充電が行われない状態にする。
【００４１】
同様に、絶縁型DCDCコンバータ２３−２は、放電イネーブルがオンであれば、入力側の端子に入力される電源電圧Vccを所要の電圧に変換する回路をオンにして出力電圧を発生（切替制御信号を供給）し、IGBT２１−２のゲートに所定の電圧を印加して二次電池からの放電が行われる状態にする。一方、絶縁型DCDCコンバータ２３−２は、放電イネーブルがオフであれば、入力側の端子に入力される電源電圧Vccを所要の電圧に変換する回路をオフにして出力電圧の発生を停止し、IGBT２１−２のゲートへの電圧の印加を停止して二次電池からの放電が行われない状態にする。
【００４２】
以上のように充放電切替回路１１は構成されており、絶縁型DCDCコンバータ２３−１および２３−２を利用することにより、プラス側の電力線の電圧より所定の電圧だけ高い電圧を生成して、プラス側の電力線に挿入されている半導体スイッチ１２−１および１２−２のオン／オフを制御することができる。
【００４３】
また、プラス側の電力線でオン／オフ制御を行うため、マイナス側の電力線でオン／オフ制御を行う場合より、安全性をより高めることができる。さらに、例えば、マイナス側の電力線に半導体スイッチを挿入してオン／オフ制御を行う場合に発生する基準電位の変動を回避することができる。
【００４４】
即ち、マイナス側の電力線に半導体スイッチを挿入した場合に半導体スイッチをオフにしたとき、電源の基準電位とシステム側の回路の基準電位とが接続されない状態となり、システム側と電源側との回路の基準電位が変動することがある。これにより、回路が誤動作するなどの不具合が発生する恐れがあった。これに対し、充放電切替回路１１では、プラス側の電力線に半導体スイッチ１２−１および１２−２が挿入されているため、半導体スイッチ１２−１および１２−２をオフにしても、電源の基準電位とシステム側の回路の基準電位とは接続された状態である。従って、基準電位が変動することによる不具合の発生を回避することができる。
【００４５】
また、絶縁型DCDCコンバータ２３−１および２３−２を利用することで、半導体スイッチ１２−１および１２−２を駆動するための高電圧（例えば、４００〜６００Ｖに１５Ｖを加算した電圧）を発生する回路を簡易的な構成で実現することができる。また、絶縁型DCDCコンバータ２３−１および２３−２が、プラス側の電力線で供給される電圧に所定の電圧を加算するように構成されているので、二次電池に蓄積されている電力量に応じて半導体スイッチ１２−１および１２−２の駆動に必要な電圧が変動しても、その電圧を確実に生成することができる。
【００４６】
さらに、半導体スイッチ１２−１および１２−２が、IGBT２１−１および２１−２と、ダイオード２２−１および２２−２とが組み合わされて構成されているので、充電用と放電用との２系統の電力供給経路を独立して設けられる。これにより、充電イネーブルと放電イネーブルとを個別にオン／オフ制御することが可能な回路構成を実現することができる。
【００４７】
また、絶縁型DCDCコンバータ２３−１および２３−２が、二次電池とシステムとの間で供給される電力の電源電圧以上の絶縁耐性を備えていることにより、プラス側の電力線により伝送される電力が、絶縁型DCDCコンバータ２３−１および２３−２を介してリークすることを確実に防止することができる。即ち、絶縁型DCDCコンバータ２３−１および２３−２に供給される入力制御信号（充電イネーブル、放電イネーブル）と電気的に絶縁された状態で、絶縁型DCDCコンバータ２３−１および２３−２によりIGBT２１−１および２１−２のゲートに印加される電圧（切替制御信号）が生成される。
【００４８】
なお、充放電切替回路１１は、規定の電圧値以上の電力がシステムから二次電池に供給されたときに、その電力の供給を遮断するための保護回路を備えることができる。
【００４９】
次に、図２は、充放電切替回路１１を備えた充電システムの構成例を示すブロック図である。なお、本明細書において、システムとは、複数の装置により構成される装置全体を表すものである。
【００５０】
図２に示すように、充電システム３１は、Ｎ個のバッテリモジュール３２−１乃至３２−Ｎ、およびコントロールボックス３３を備えて構成される。
【００５１】
バッテリモジュール３２−１乃至３２−Ｎは、センサ部４１−１乃至４１−Ｎ、第１の通信端子（CN1）４２−１乃至４２−Ｎ、第２の通信端子（CN2）４３−１乃至４３−Ｎ、マイナス端子４４−１乃至４４−Ｎ、並びに、プラス端子４５−１乃至４５−Ｎをそれぞれ有している。コントロールボックス３３は、充放電切替回路１１、MCU（Micro Controller Unit）５１、送受信部５２、および通信コネクタ５３を有している。そして、コントロールボックス３３とバッテリモジュール３２−１乃至３２−Ｎとは、電力線および信号線により接続されている。
【００５２】
電源基準電位（Power GND）に接続されるマイナス側の電力線は、コントロールボックス３３を介してバッテリモジュール３２−１のマイナス端子４４−１に接続されており、バッテリモジュール３２−１のプラス端子４５−１は、バッテリモジュール３２−２のマイナス端子４４−２に接続されている。また、バッテリモジュール３２−２のプラス端子４５−２が、バッテリモジュール３２−３のマイナス端子４４−３に接続され、以下、同様に、バッテリモジュール３２−１乃至３２−Ｎが直列に接続されている。そして、バッテリモジュール３２−Ｎのプラス端子４５−Ｎに接続されるプラス側の電力線が、コントロールボックス３３の充放電切替回路１１を介して、図示しないシステムに接続（To System）されている。
【００５３】
また、コントロールボックス３３の通信コネクタ５３に接続されている信号線が、バッテリモジュール３２−１の第１の通信端子４２−１に接続されている。そして、バッテリモジュール３２−１の第２の通信端子４３−１が、バッテリモジュール３２−２の第１の通信端子４２−２に接続され、バッテリモジュール３２−２の第２の通信端子４３−２が、バッテリモジュール３２−３の第１の通信端子４２−３に接続されて、以下、同様に、バッテリモジュール３２−１乃至３２−Ｎが信号線により直列に接続されている。
【００５４】
バッテリモジュール３２−１乃至３２−Ｎは、例えば、リチウムイオンバッテリーなどの二次電池を備えたモジュールであり、マイナス端子４４−１乃至４４−Ｎおよびプラス端子４５−１乃至４５−Ｎを介して、電力の充電または放電を行う。
【００５５】
センサ部４１−１乃至４１−Ｎは、バッテリモジュール３２−１乃至３２−Ｎに蓄電されている電力の電圧値や、充電または放電の際の電流値、バッテリモジュール３２−１乃至３２−Ｎの温度などを検出する。センサ部４１−１乃至４１−Ｎは、第１の通信端子４２−１乃至４２−Ｎおよび第２の通信端子４３−１乃至４３−Ｎによりそれぞれ接続されるとともに、信号線を介してコントロールボックス３３に接続されている。そして、センサ部４１−１乃至４１−Ｎは、検出した電圧値、電流値、および温度をコントロールボックス３３のMCU５１に通知する。
【００５６】
MCU５１は、例えば、一つの集積回路にコンピュータシステムがまとめられた組み込み用のマイクロプロセッサである。MCU５１は、センサ部４１−１乃至４１−Ｎと通信を行ってバッテリモジュール３２−１乃至３２−Ｎの電圧値、電流値、および温度を取得する。そして、MCU５１は、電圧値、電流値、および温度に基づいて、バッテリモジュール３２−１乃至３２−Ｎの状態（過電流、ショート、電源に繋いだ二次電池の過充電、過放電、温度状態など）を監視し、それらの状態に応じて充放電切替回路１１を制御する。
【００５７】
送受信部５２は、MCU５１とセンサ部４１−１乃至４１−Ｎとが通信を行う際の信号の送受信を管理するインタフェースである。通信コネクタ５３は、コントロールボックス３３に接続される信号線とMCU５１および送受信部５２とを繋ぐ複数の端子を有している。通信コネクタ５３のDIS端子、０V端子、およびCHG端子がMCU５１に接続されており、通信コネクタ５３のVCC端子、SDA端子、SCL端子、GND端子が送受信部５２に接続されている。
【００５８】
以上のように構成される充電システム３１は、バッテリモジュール３２−１乃至３２−Ｎが直列に接続されることで高電圧の電源（例えば、1000Ｖ・100Ａ程度の電源）として使用される。そして、コントロールボックス３３が、バッテリモジュール３２−１乃至３２−Ｎの状態を監視しながら、充放電切替回路１１により、充電方向および放電方向の電流をオン／オフ制御する。
【００５９】
次に、図３は、MCU５１が、バッテリモジュール３２−１乃至３２−Ｎの状態に応じて充放電切替回路１１を制御する処理を説明するフローチャートである。
【００６０】
例えば、MCU５１は、センサ部４１−１乃至４１−Ｎとの通信を所定の周期で行っており、その通信を開始するタイミングになると処理が開始される。ステップＳ１１において、MCU５１は、センサ部４１−１乃至４１−Ｎとの通信により、バッテリモジュール３２−１乃至３２−Ｎの電圧値、電流値、および温度を示す信号を取得し、バッテリモジュール３２−１乃至３２−Ｎの状態を把握する。
【００６１】
ステップＳ１１の処理後、処理はステップＳ１２に進み、MCU５１は、バッテリモジュール３２−１乃至３２−Ｎの状態が過放電であるか否かを判定する。
【００６２】
ステップＳ１２において、MCU５１が、バッテリモジュール３２−１乃至３２−Ｎの状態が過放電であると判定した場合、処理はステップＳ１３に進み、MCU５１は、絶縁型DCDCコンバータ２３−２に対して放電イネーブルをオフにする制御を行う。これにより、バッテリモジュール３２−１乃至３２−Ｎからの放電が停止される。
【００６３】
一方、ステップＳ１２において、MCU５１が、バッテリモジュール３２−１乃至３２−Ｎの状態が過放電でないと判定した場合、処理はステップＳ１４に進み、MCU５１は、絶縁型DCDCコンバータ２３−２に対して放電イネーブルをオンにする制御を行う。これにより、バッテリモジュール３２−１乃至３２−Ｎからの放電が開始（もともと放電イネーブルがオンであれば放電状態が継続）される。
【００６４】
ステップＳ１３またはステップＳ１４の処理後、処理はステップＳ１５に進み、MCU５１は、バッテリモジュール３２−１乃至３２−Ｎの状態が過充電であるか否かを判定する。
【００６５】
ステップＳ１５において、MCU５１が、バッテリモジュール３２−１乃至３２−Ｎの状態が過充電であると判定した場合、処理はステップＳ１６に進み、MCU５１は、絶縁型DCDCコンバータ２３−１に対して充電イネーブルをオフにする制御を行う。これにより、バッテリモジュール３２−１乃至３２−Ｎの充電が停止される。
【００６６】
一方、ステップＳ１５において、MCU５１が、バッテリモジュール３２−１乃至３２−Ｎの状態が過充電でないと判定した場合、処理はステップＳ１７に進み、MCU５１は、絶縁型DCDCコンバータ２３−１に対して充電イネーブルをオンにする制御を行う。これにより、バッテリモジュール３２−１乃至３２−Ｎの充電が開始（もともと充電イネーブルがオンであれば充電状態が継続）される。
【００６７】
ステップＳ１６またはステップＳ１７の処理後、処理はステップＳ１８に進み、MCU５１は、バッテリモジュール３２−１乃至３２−Ｎの状態が過電流であるか否かを判定する。
【００６８】
ステップＳ１８において、MCU５１が、バッテリモジュール３２−１乃至３２−Ｎの状態が過電流であると判定した場合、処理はステップＳ１９に進み、MCU５１は、絶縁型DCDCコンバータ２３−２に対して放電イネーブルをオフにする制御を行う。これにより、バッテリモジュール３２−１乃至３２−Ｎの放電が停止される。
【００６９】
ステップＳ１９の処理後、または、ステップＳ１８でバッテリモジュール３２−１乃至３２−Ｎの状態が過電流でないと判定された場合、処理はステップＳ２０に進む。ステップＳ２０において、MCU５１は、バッテリモジュール３２−１乃至３２−Ｎの状態が使用可能温度の範囲外であるか否かを判定する。
【００７０】
ステップＳ２０において、MCU５１が、バッテリモジュール３２−１乃至３２−Ｎの状態が使用可能温度の範囲外であると判定した場合、処理はステップＳ２１に進む。ステップＳ２１において、MCU５１は、絶縁型DCDCコンバータ２３−１に対して充電イネーブルをオフにするとともに、絶縁型DCDCコンバータ２３−２に対して放電イネーブルをオフにする制御を行う。これにより、バッテリモジュール３２−１乃至３２−Ｎの充電および放電が停止される。
【００７１】
一方、ステップＳ２０において、MCU５１が、バッテリモジュール３２−１乃至３２−Ｎの状態が使用可能温度の範囲外でない（範囲内である）と判定した場合、処理はステップＳ２２に進む。ステップＳ２２において、MCU５１は、絶縁型DCDCコンバータ２３−１に対して充電イネーブルをオンにするとともに、絶縁型DCDCコンバータ２３−２に対して放電イネーブルをオンにする制御を行う。これにより、バッテリモジュール３２−１乃至３２−Ｎの充電および放電が開始（もともと充電イネーブルおよび放電イネーブルがオンであれば充電状態および放電状態が継続）される。
【００７２】
ステップＳ２１またはステップＳ２２の処理後、バッテリモジュール３２−１乃至３２−Ｎの状態に応じて充放電切替回路１１を制御する処理は終了し、MCU５１は、センサ部４１−１乃至４１−Ｎとの通信を行う次のタイミングまで処理を待機する。
【００７３】
以上のように、充電システム３１では、MCU５１により充放電切替回路１１の絶縁型DCDCコンバータ２３−１および２３−２に対する制御が行われるので、より適切な状態でバッテリモジュール３２−１乃至３２−Ｎを使用することができる。また、このとき、充放電切替回路１１では、半導体スイッチ１２−１および１２−２により２系統の電流経路が設けられており、MCU５１が絶縁型DCDCコンバータ２３−１および２３−２に対して個別に制御を行うことができるので、充電方向の電流のオン／オフ制御と、放電方向の電流のオン／オフ制御とを独立して行うことができる。
【００７４】
なお、半導体スイッチ１２−１および１２−２では、IGBT２１−１および２１−２が１つずつ使用されているが、半導体スイッチとして、複数のIGBTが並列的に接続されるような構成を採用してもよい。このように、複数のIGBTが並列に接続された半導体スイッチを採用することで、プラス側の電力線に流れる電流の許容量を増加することができる。
【００７５】
また、本実施の形態では、半導体スイッチとしてIGBTを使用した構成例について説明したが、半導体スイッチとしてＮ型チャネルのFETを採用することができる。
【００７６】
また、従来、半導体スイッチとしてFET（Ｐ型チャネルの素子）を採用した場合には、ソースからゲート電圧を引き下げるだけでよいので、半導体スイッチを容易に駆動することができた。しかしながら、高電圧かつ高電流を扱う場合には、FET ではなくIGBT（Ｎ型チャネルの素子）を採用することが考えられ、IGBTを採用する場合には、プラス側の電力線に供給される電圧よりも高い電圧を作り出す必要がある。
【００７７】
そこで、充放電切替回路１１では、絶縁型DCDCコンバータ２３−１および２３−２を利用して、高電圧が供給されるプラス側の電力線に供給される電圧から、例えば、１５Ｖの昇圧を行うことで、簡易な回路構成で、IGBTを駆動することができる。また、その電圧そのものを接地電圧から作り出す場合に比較して、プラス側の電力線に供給される電圧から昇圧することで、低消費電力でIGBTを駆動することができる。
【００７８】
なお、本発明は、図２に示したような充電システム３１の他、例えば、二次電池の充電器や、二次電池を備えた制御装置などに適用することができる。また、上述の説明では、基準電位側（接地側）をプラス側とし、その逆側（印加電位側）をマイナス側としたが、正負逆のマイナス印加の電気回路や制御装置あるいはシステム等にも適用できる。また、例えば、プラス側の電力線を切替対象線とするだけでなく、プラス側の電力線およびマイナス側の電力線の少なくとも一方を切替対象線とすることができる。
【００７９】
なお、上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のコンピュータなどに、プログラム記録媒体からインストールされる。なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８０】
なお、本発明の実施の形態は、上述した実施の形態に限定されるものではなく、本発明の要旨を逸脱しない範囲において種々の変更が可能である。
【符号の説明】
【００８１】
１１  充放電切替回路，  １２−１および１２−２  半導体スイッチ，  １３  駆動回路，  １４乃至１７  端子，  ２１−１および２１−２  IGBT，  ２２−１および２２−２  ダイオード，  ２３−１および２３−２  絶縁型DCDCコンバータ，  ３１  充電システム，  ３２−１乃至３２−Ｎ  バッテリモジュール，  ３３  コントロールボックス，  ４１−１乃至４１−Ｎ  センサ部，  ４２−１乃至４２−Ｎ  第１の通信端子，  ４３−１乃至４３−Ｎ  第２の通信端子，  ４４−１乃至４４−Ｎ  マイナス端子，  ４５−１乃至４５−Ｎ  プラス端子，  ５１  MCU，  ５２  送受信部，  ５３  通信コネクタ
【図１】
0005686238.tif 000002
【図２】
0005686238.tif 000003
【図３】
0005686238.tif 000004